(57)【要約】【課題】画質の劣化を生じさせずに変倍処理を実行することが可能な画像形成装置を提供することを目的とする。【解決手段】原稿の画像を読み取って得た画像データに応じた可視像を記録紙上に形成して出力する画像形成装置であって、変倍率αに応じて副走査方向の読み取り間隔を１／αに変更して原稿の画像を読み取って画像データを生成する画像読み取り部と、前記画像読み取り部により生成された前記画像データを９０度回転させる画像処理を行う画像処理部と、前記画像処理部で画像処理がなされた画像データを、前記変倍率αに応じて副走査方向の画像形成速度をα倍に変更して画像形成する画像形成部と、を備える。【選択図】図１
2007150980.tif 000002
【特許請求の範囲】
【請求項１】
原稿の画像を読み取って得た画像データに応じた可視像を記録紙上に形成して出力する画像形成方法であって、
変倍率αに応じて副走査方向の読み取り間隔を１／αに変更して原稿の画像を読み取って画像データを生成し、
生成された前記画像データを９０度回転させる画像処理を行い、
画像処理がなされた前記画像データを、前記変倍率αに応じて副走査方向の画像形成速度をα倍に変更して画像形成する、
ことを特徴とする画像形成方法。
【請求項２】
原稿の画像を読み取って得た画像データに応じた可視像を記録紙上に形成して出力する画像形成方法であって、
解像度変更率βに応じて副走査方向の読み取り間隔を１／βに変更して原稿の画像を読み取って画像データを生成し、
生成された前記画像データを９０度回転させる画像処理を行い、
前記解像度変更率βに応じて主走査方向の解像度をβ倍に切り替えて、画像処理がなされた前記画像データを画像形成する、
ことを特徴とする画像形成方法。
【請求項３】
原稿の画像を読み取って得た画像データに応じた可視像を記録紙上に形成して出力する画像形成方法であって、
変倍率αと解像度変更率βとに応じて副走査方向の読み取り間隔を、１／（αβ）に変更して原稿の画像を読み取って画像データを生成し、
生成された前記画像データを９０度回転させる画像処理を行い、
前記解像度変更率βに応じて主走査方向の解像度をβ倍に切り替え、前記変倍率αに応じて副走査方向の画像形成速度をα倍に変更して、画像処理がなされた前記画像データを画像形成する、
ことを特徴とする画像形成方法。
【請求項４】
両面画像形成時の記録紙の収縮率に応じて前記αを設定して両面画像形成を実行する、ことを特徴とする請求項１または請求項３に記載の画像形成方法。
【請求項５】
原稿の画像を読み取って得た画像データに応じた可視像を記録紙上に形成して出力する画像形成装置であって、
変倍率αに応じて副走査方向の読み取り間隔を１／αに変更して原稿の画像を読み取って画像データを生成する画像読み取り部と、
前記画像読み取り部により生成された前記画像データを９０度回転させる画像処理を行う画像処理部と、
前記画像処理部で画像処理がなされた画像データを、前記変倍率αに応じて副走査方向の画像形成速度をα倍に変更して画像形成する画像形成部と、
を備えたことを特徴とする画像形成装置。
【請求項６】
原稿の画像を読み取って得た画像データに応じた可視像を記録紙上に形成して出力する画像形成装置であって、
解像度変更率βに応じて副走査方向の読み取り間隔を１／βに変更して原稿の画像を読み取って画像データを生成する画像読み取り部と、
前記画像読み取り部により生成された前記画像データを９０度回転させる画像処理を行う画像処理部と、
前記解像度変更率βに応じて主走査方向の解像度をβ倍に切り替えて、前記画像処理部で画像処理がなされた画像データを画像形成する画像形成部と、
を備えたことを特徴とする画像形成装置。
【請求項７】
原稿の画像を読み取って得た画像データに応じた可視像を記録紙上に形成して出力する画像形成装置であって、
変倍率αと解像度変更率βとに応じて副走査方向の読み取り間隔を、１／（αβ）に変更して原稿の画像を読み取って画像データを生成する画像読み取り部と、
前記画像読み取り部により生成された前記画像データを９０度回転させる画像処理を行う画像処理部と、
前記解像度変更率βに応じて主走査方向の解像度をβ倍に切り替え、前記変倍率αに応じて副走査方向の画像形成速度をα倍に変更して、前記画像処理部で画像処理がなされた画像データを画像形成する画像形成部と、
を備えたことを特徴とする画像形成装置。
【請求項８】
両面画像形成時の記録紙の収縮率に応じて前記αを設定して両面画像形成を実行する、ことを特徴とする請求項５または請求項７に記載の画像形成装置。
【発明の詳細な説明】
【技術分野】
【０００１】
本発明は、原稿の画像を読み取って得た画像データに応じた可視像を記録紙上に形成して出力する画像形成方法と画像形成装置とに関し、特に、変倍画像処理によらず変倍された画像形成が可能な画像形成方法と画像形成装置とに関する。
【背景技術】
【０００２】
複写機、画像読み取り装置（スキャナ）、プリンタなどにおいて、一般的には、画像読み取り装置（スキャナ）では、主走査方向に読み取りを行うラインセンサを、主走査方向と直交する副走査方向に移動させ、あるいは、原稿を副走査方向に移動させることで二次元の読み取りを実行している。
【０００３】
この場合、主走査方向の変倍率あるいは解像度は固定であり、副走査方向の変倍率あるいは解像度については読み取り速度（副走査速度）を変更することで任意に変更することができる。そして、主走査方向の変倍率あるいは解像度については、画像処理により対処していた。
【０００４】
また、一般的には、プリンタでは、感光体上や記録紙上を主走査方向に走査する行為を、感光体上や記録紙を副走査方向に移動させつつ繰り返すことで二次元の画像形成を実行している。
【０００５】
この場合、主走査方向の変倍率あるいは解像度は固定あるいは整数倍の段階的切り替えであり、副走査方向の変倍率あるいは解像度については副走査速度を変更することで任意に変更することができる。そして、主走査方向の変倍率あるいは解像度については、画像処理により対処していた。
【０００６】
なお、このような変倍処理については、以下の特許文献１や特許文献２などに関連技術が記載されている。
【特許文献１】特開平５−２８２８４３号公報（第１頁、図１）
【特許文献２】特開２００１−１５７０４２号公報（第１頁、図１）
【発明の開示】
【発明が解決しようとする課題】
【０００７】
上述した特許文献１の画像読み取り装置（スキャナ）では、主走査方向に読み取りを行うラインセンサを、主走査方向と直交する副走査方向に移動させ、あるいは、原稿を副走査方向に移動させることで二次元の読み取りを実行しており、主走査方向の変倍率あるいは解像度は固定であり、副走査方向の変倍率あるいは解像度については読み取り速度（副走査速度）を変更することで任意に変更する。そして、主走査方向の変倍率あるいは解像度については、画像処理により対処していた。
【０００８】
上述した特許文献２の画像形成装置（プリンタ）では、主走査方向と副走査方向の両方の変倍率あるいは解像度については、メモリ上の画像データに対して画像処理を施すことにより対処していた。
【０００９】
ここで、画像形成装置の露光手段としてＬＥＤアレイを用いたものが、電子写真方式のプリンタや、印画紙に露光を行うミニラボ用プリンタなどで使用されている。この種のＬＥＤアレイでは、各発光素子のピッチは固定である。
【００１０】
このため、主走査方向の整数倍や整数分の一の変倍や解像度の変更に対しては劣化が少ない状態で対処できるものの、整数倍以外の変倍や解像度の変更が指定された場合には画像には数画素おきに画素の追加や間引きを行うために劣化が生じやすくなる。すなわち、細線が消えたり途切れたりすることがあり、また、斜めの線に不規則な階段状のギザギザが目立つようになったりと、画質の劣化を生じさせやすくなる。
【００１１】
特に、２値でドットの有り／無しによって画像を形成する場合、以上の画質の劣化を著しく感じ易い状態になる。
本発明は、以上のような課題を解決するためになされたものであって、画質の劣化を生じさせずに変倍処理を実行することが可能な画像形成方法および画像形成装置を提供することを目的とする。
【課題を解決するための手段】
【００１２】
以上の課題を解決する本発明は、以下に記載するようなものである。
（１）請求項１記載の発明は、原稿の画像を読み取って得た画像データに応じた可視像を記録紙上に形成して出力する画像形成方法であって、変倍率αに応じて副走査方向の読み取り間隔を１／αに変更して原稿の画像を読み取って画像データを生成し、生成された前記画像データを９０度回転させる画像処理を行い、画像処理がなされた前記画像データを、前記変倍率αに応じて副走査方向の画像形成速度をα倍に変更して画像形成する、ことを特徴とする画像形成方法である。
【００１３】
（２）請求項２記載の発明は、原稿の画像を読み取って得た画像データに応じた可視像を記録紙上に形成して出力する画像形成方法であって、解像度変更率βに応じて副走査方向の読み取り間隔を１／βに変更して原稿の画像を読み取って画像データを生成し、生成された前記画像データを９０度回転させる画像処理を行い、前記解像度変更率βに応じて主走査方向の解像度をβ倍に切り替えて、画像処理がなされた前記画像データを画像形成する、ことを特徴とする画像形成方法である。
【００１４】
（３）請求項３記載の発明は、原稿の画像を読み取って得た画像データに応じた可視像を記録紙上に形成して出力する画像形成方法であって、変倍率αと解像度変更率βとに応じて副走査方向の読み取り間隔を、１／（αβ）に変更して原稿の画像を読み取って画像データを生成し、生成された前記画像データを９０度回転させる画像処理を行い、前記解像度変更率βに応じて主走査方向の解像度をβ倍に切り替え、前記変倍率αに応じて副走査方向の画像形成速度をα倍に変更して、画像処理がなされた前記画像データを画像形成する、ことを特徴とする画像形成方法である。
【００１５】
（４）請求項４記載の発明は、両面画像形成時の記録紙の収縮率に応じて前記αを設定して両面画像形成を実行する、ことを特徴とする請求項１または請求項３に記載の画像形成方法である。
【００１６】
（５）請求項５記載の発明は、原稿の画像を読み取って得た画像データに応じた可視像を記録紙上に形成して出力する画像形成装置であって、変倍率αに応じて副走査方向の読み取り間隔を１／αに変更して原稿の画像を読み取って画像データを生成する画像読み取り部と、前記画像読み取り部により生成された前記画像データを９０度回転させる画像処理を行う画像処理部と、前記画像処理部で画像処理がなされた画像データを、前記変倍率αに応じて副走査方向の画像形成速度をα倍に変更して画像形成する画像形成部と、を備えたことを特徴とする画像形成装置である。
【００１７】
（６）請求項６記載の発明は、原稿の画像を読み取って得た画像データに応じた可視像を記録紙上に形成して出力する画像形成装置であって、解像度変更率βに応じて副走査方向の読み取り間隔を１／βに変更して原稿の画像を読み取って画像データを生成する画像読み取り部と、前記画像読み取り部により生成された前記画像データを９０度回転させる画像処理を行う画像処理部と、前記解像度変更率βに応じて主走査方向の解像度をβ倍に切り替えて、前記画像処理部で画像処理がなされた画像データを画像形成する画像形成部と、を備えたことを特徴とする画像形成装置である。
【００１８】
（７）請求項７記載の発明は、原稿の画像を読み取って得た画像データに応じた可視像を記録紙上に形成して出力する画像形成装置であって、変倍率αと解像度変更率βとに応じて副走査方向の読み取り間隔を、１／（αβ）に変更して原稿の画像を読み取って画像データを生成する画像読み取り部と、前記画像読み取り部により生成された前記画像データを９０度回転させる画像処理を行う画像処理部と、前記解像度変更率βに応じて主走査方向の解像度をβ倍に切り替え、前記変倍率αに応じて副走査方向の画像形成速度をα倍に変更して、前記画像処理部で画像処理がなされた画像データを画像形成する画像形成部と、を備えたことを特徴とする画像形成装置である。
【００１９】
（８）請求項８記載の発明は、両面画像形成時の記録紙の収縮率に応じて前記αを設定して両面画像形成を実行する、ことを特徴とする請求項５または請求項７に記載の画像形成装置である。
【発明の効果】
【００２０】
本発明によると以下のような効果が得られる。
（１）請求項１と請求項５とに記載の発明では、変倍率αに応じて副走査方向の読み取り間隔を１／αに変更して原稿の画像を読み取って画像データを生成し、生成された画像データを９０度回転させる画像処理を行い、回転の画像処理がなされた画像データを、変倍率αに応じて副走査方向の画像形成速度をα倍に変更して画像形成する。
【００２１】
これにより、読み取りの際に、原稿の主走査方向は所定の画素数であり副走査方向はα倍の画素数である画像データが生成される。その後、９０度の画像回転処理が施され、主走査方向と副走査方向とが入れ替わる。そして、原稿の主走査方向は画像形成の副走査方向としてα倍の画像形成速度によりα倍の大きさに引き伸ばされ、α倍の画素数となった主走査方向（原稿の副走査方向）と共に、主走査方向（原稿の副走査方向）・副走査方向（原稿の主走査方向）共にα倍の大きさの画像が記録紙上に形成される。
【００２２】
ここで、画像形成時の主走査方向は、画像読み取り時にα倍の画素数とされており、変倍の画像処理も画像形成主走査方向のピッチ変更も必要ないため、劣化なく変倍が可能になっている。
【００２３】
また、画像形成時の副走査方向（原稿の主走査方向）は、画像形成時にα倍の画像形成速度によりα倍の大きさに引き伸ばされるため、変倍の画像処理が必要ないため、劣化なく変倍が可能になっている。
【００２４】
すなわち、拡大であっても縮小であっても、変倍の画像処理や主走査方向読み取りピッチの変更や主走査方向画像形成ピッチの変更が必要なく、劣化なく変倍が可能になっている。
【００２５】
この結果、整数倍以外の変倍や解像度の変更が指定された場合であっても、細線が消えたり途切れたりすることはなく、また、斜めの線に不規則な階段状のギザギザが目立つようになったりすることもなく、画質の劣化を生じることがなくなる。
【００２６】
（２）請求項２と請求項６とに記載の発明では、原稿の画像を読み取って得た画像データに応じた可視像を記録紙上に形成して出力する際に、解像度変更率βに応じて副走査方向の読み取り間隔を１／βに変更して原稿の画像を読み取って画像データを生成し、生成された画像データを９０度回転させる画像処理を行い、解像度変更率βに応じて主走査方向の解像度をβ倍に切り替えて、画像処理がなされた前記画像データを画像形成する。
【００２７】
これにより、読み取りの際に、原稿の主走査方向は所定の画素数であり副走査方向はβ倍の画素数である画像データが生成される。その後、９０度の画像回転処理が施され、主走査方向と副走査方向とが入れ替わる。
【００２８】
そして、主走査方向の画像形成解像度がβ倍に切り替えられた状態で、β倍の画素数となった主走査方向（原稿の副走査方向）の画像形成がなされる。これにより、形成される画像は等倍でありながら、読み取り時のセンサの性能（解像度）を何ら変更することなく、また、補間処理などの画素増加の画像処理を施すことなく、主走査方向の解像度をβ倍にした画像形成が可能になる。
【００２９】
ここで、画像形成時の主走査方向は、画像読み取り時の副走査方向としてβ倍の画素数とされており、画像読み取り時の主走査方向ピッチ変更も変倍の画像処理も必要ないため、画像形成側の解像度変更が可能な装置にあっては、劣化や面倒な処理なく解像度変更を伴った複写が可能になっている。
【００３０】
すなわち、解像度アップであっても解像度ダウンであっても、変倍の画像処理や主走査方向読み取りピッチの変更や主走査方向画像形成ピッチの変更が必要なく、劣化なく解像度変更が可能になっている。
【００３１】
この結果、整数倍以外の解像度変更が指定された場合であっても、細線が消えたり途切れたりすることはなく、また、斜めの線に不規則な階段状のギザギザが目立つようになったりすることもなく、画質の劣化を生じることがなくなる。
【００３２】
（３）請求項３と請求項７とに記載の発明では、原稿の画像を読み取って得た画像データに応じた可視像を記録紙上に形成して出力する際に、変倍率αと解像度変更率βとに応じて副走査方向の読み取り間隔を、１／（αβ）に変更して原稿の画像を読み取って画像データを生成し、生成された前記画像データを９０度回転させる画像処理を行い、解像度変更率βに応じて主走査方向の解像度をβ倍に切り替え、変倍率αに応じて副走査方向の画像形成速度をα倍に変更して、画像処理がなされた画像データを画像形成する。
【００３３】
これにより、読み取りの際に、原稿の主走査方向は所定の画素数であり副走査方向はα×β倍の画素数である画像データが生成される。その後、９０度の画像回転処理が施され、主走査方向と副走査方向とが入れ替わる。
【００３４】
そして、原稿の主走査方向は画像形成の副走査方向としてα倍の画像形成速度によりα倍の大きさに引き伸ばされ、主走査方向の画像形成解像度がβ倍に切り替えられた状態で、αβ倍の画素数となった主走査方向（原稿の副走査方向）の画像形成がなされ、主走査方向（原稿の副走査方向）・副走査方向（原稿の主走査方向）共にα倍の大きさの画像が記録紙上に形成される。
【００３５】
これにより、主走査方向の画像形成解像度はβ倍であって形成される画像はα倍でありながら、読み取り時のセンサの性能（解像度）を何ら変更することなく、また、補間処理などの画素増加の画像処理を施すことなく、主走査方向の解像度をβ倍にした画像形成が可能になる。
【００３６】
ここで、画像形成時の主走査方向は、画像読み取り時の副走査方向としてα×β倍の画素数とされており、画像読み取り時の主走査方向ピッチ変更も変倍の画像処理も必要ないため、画像形成側の解像度変更が可能な装置にあっては、劣化や面倒な処理なく解像度変更と変倍との両方を伴った複写が可能になっている。
【００３７】
また、画像形成時の副走査方向（原稿の主走査方向）は、画像形成時にα倍の画像形成速度によりα倍の大きさに引き伸ばされるため、変倍の画像処理が必要ないため、劣化なく変倍が可能になっている。
【００３８】
すなわち、拡大であっても縮小であっても、変倍の画像処理や主走査方向読み取りピッチの変更や主走査方向画像形成ピッチの変更が必要なく、解像度変更を伴った状態で劣化なく変倍が可能になっている。
【００３９】
この結果、整数倍以外の変倍や解像度変更が指定された場合であっても、細線が消えたり途切れたりすることはなく、また、斜めの線に不規則な階段状のギザギザが目立つようになったりすることもなく、画質の劣化を生じることがなくなる。
【００４０】
（４）請求項４と請求項８と記載の発明では、両面画像形成時の記録紙の収縮率に応じて上述した（１）または（３）のαを設定して両面画像形成を実行する、ことを特徴とする。
【００４１】
この場合も、上記（１）や（３）と同様に、拡大であっても縮小であっても、変倍の画像処理や主走査方向読み取りピッチの変更や主走査方向画像形成ピッチの変更が必要なく、解像度変更を伴った状態で劣化なく変倍が可能になっている。この結果、両面画像形成時の表裏の収縮の違いを解消するために整数倍以外の変倍や解像度変更が指定された場合であっても、細線が消えたり途切れたりすることはなく、また、斜めの線に不規則な階段状のギザギザが目立つようになったりすることもなく、画質の劣化を生じることがなくなる。
【発明を実施するための最良の形態】
【００４２】
以下、図面を参照して本発明を実施するための最良の形態（以下、実施形態）を詳細に説明する。なお、以下、画像形成装置の構成および動作について実施形態の説明をするが、画像形成装置の動作が画像形成方法となっている。
【００４３】
〈画像形成装置の電気的構成〉
図１は、本発明の第１の実施形態の画像形成装置として複写機の電気的構成を示す回路構成図である。
【００４４】
この図１において、１０１は装置全体を制御するＣＰＵなどで構成された制御部、１０２は画像形成装置の設定の操作をユーザあるいはキーオペレータが入力する操作入力部、１０３は装置の状態をユーザに対して表示する表示部である。なお、ここでは、操作の入力と表示とを個別に行う操作入力部と表示部とを示したが、両方を行うタッチパネルなどで構成された操作表示部の構成であってもよい。１０４は画像形成に関する各種情報を保持する情報保持部である。
【００４５】
１１０は原稿の画像情報を光学的にスキャンして読み取って画像データを生成するスキャナとしての画像読み取り部であり、原稿の画像をスキャンして画像データを生成する画像読み取り部と、この画像読み取り部に対して原稿を自動的に給送する自動原稿給送手段（ＡＤＦ）とを備えていてもよい。
【００４６】
なお、この画像読み取り部１１０では、原稿載置部に載置された原稿を自動的に給送しつつスキャンして画像データを生成する場合と、プラテンガラス上に１枚ずつ原稿をユーザが載置してスキャンして画像データを生成する場合との、二通りのスキャンが可能である。ここで、原稿がプラテンガラス上に読み取り面を下に向けた状態に載置された場合には、読み取り光学系はプラテンガラスに沿って走査して読み取りを行う。また、原稿が自動給送される場合には、読み取り光学系が固定された状態で読み取りを行う。
【００４７】
また、この画像読み取り部１１０は、制御部１０１の制御により、変倍率αに応じて副走査方向の読み取り間隔を１／αに変更して原稿の画像を読み取って画像データを生成する機能を有する。
【００４８】
なお、読み取り間隔を１／αにするとは、一般的には、読み取り速度を１／αにすることにより実現することができる。
１２０は画像読み取り部１１０で読み取って得られた画像データに所定の画像処理を施す画像処理部であり、必要に応じて画像データを保持するための所定の容量の画像メモリを有していてもよい。なお、この実施形態では、画像データを９０度回転させる画像処理を実行する機能を有する。
【００４９】
１３０は画像データに応じた画像（トナー像）を記録紙上に形成して出力するプリントエンジンとしての画像形成部であり、給紙トレイから所望の記録紙を画像書込部１３６に対して給紙する給紙部１３２と、給紙された記録紙を所定の速度で副走査方向に搬送する搬送部１３４と、画像データに応じた露光により画像を書き込む画像書き込み部１３６とと、を備えて構成されている。
【００５０】
また、この画像形成装置１００は、複写機、ファクシミリ装置、オールインワンプリンタなどの各種の装置が該当する。また、画像形成部１３０は、レーザビームを用いる電子写真方式のもののほか、ＬＥＤプリントヘッドを用いるものや、インクジェット方式のものでもよい。
【００５１】
〈画像形成装置の機械的構成〉
また、図２は本発明の実施形態の画像形成装置１００の画像形成部１３０を電子写真方式で構成した場合の機械的構成を示す構成図である。
【００５２】
この図２において、１０は自動原稿給送手段（以下、ＡＤＦと言う）であり、原稿の両面を読み取るための給紙を行う手段である。２０は原稿を光学的にスキャンして読み取って画像データを生成する画像読み取り部（スキャナ部）である。
【００５３】
また、このＡＤＦ１０または画像読み取り部２０は、図１における画像読み取り部１１０を構成しており、制御部１０１の制御により、変倍率αに応じて副走査方向の読み取り間隔を１／αに変更して原稿の画像を読み取って画像データを生成する機能を有する。なお、読み取り間隔を１／αにするとは、一般的には、読み取り速度を１／αにすることにより実現することができる。５０は画像データを電子写真方式により記録紙ｐ上に記録する画像書き込み部である。６０は記録紙の搬送を行う搬送手段である。
【００５４】
ここで、原稿の両面給送が可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３を介して回転される。
【００５５】
この時、光源２３により原稿ｄの原稿面が照射され、その反射光がミラー２４，２５，２６を介して結像光学系２７を介して光電変換手段であるＣＣＤ２８の受光面に像を結ぶ。ここで、光源２３、ミラー２４，２５，２６、結像光学系２７及びＣＣＤ２８を有する光学系、並びに、図示されていない光学系駆動手段とで画像読み取り部２０を構成している。
【００５６】
この図において、原稿ｄがプラテンガラス２１上に読み取り面を下に向けた状態に載置された場合には、光学系はプラテンガラス２１に沿って走査して読み取りを行う。
また、原稿ｄが自動給紙されてローラ１３の周囲を回る場合には、第２のプラテンガラス２２下に光源２３とミラー２４とが固定された状態で読み取りを行う。そして、読み取られた原稿ｄの画像データは、ＣＣＤ２８から図示しない読み取り画像処理部に送られる。
【００５７】
なお、原稿ｄがＡＤＦ１０により自動給送される場合には、原稿ｄの１ページ目が読み取られると、今度は反転ローラ１４を介して再度ローラ１３を用いた巻き取り操作が行われ、原稿裏面の画像が画像読み取り部２０で読み取られ、読み取り画像処理部に送られる。
【００５８】
このようにして、表面と裏面との画像が読み取られた原稿ｄは、再度反転ローラ１４で反転されて、表面を下に向けた状態で排紙皿１６に積載されていく。
このようにして画像読み取り部２０で読み取られた画像データは、読み取り画像処理部で所定の画像処理が行なわれた後、圧縮伸長回路で圧縮されて画像記憶部に記憶される。
【００５９】
一方、記録紙ｐが積載されている給紙トレイ３０ａ〜３０ｃのいずれかから、第１給紙ローラ３１ａ〜３１ｃにより記録紙ｐが繰り出され、画像書き込み部５０に給送される。
画像書き込み部５０に給送される記録紙ｐは、その入口付近の第２給紙ローラ（レジストローラ）３２で同期がとられた後、像担持体となる感光体ドラム５１に近接する。
【００６０】
記録画像処理部から露光部５３に画像データが入力され、露光部５３内のLEDアレイなどの主走査方向に配列された光源から光を感光体ドラム５１上に照射し、静電潜像を形成する。この静電潜像を現像部５４で現像することで、感光体ドラム５１上にトナー像を形成する。
【００６１】
このトナー像は感光体ドラム５１の下部の転写部５５ａにより記録紙ｐに転写される。そして、感光体ドラム５１に圧着されている記録紙ｐは分離部５５ｂにより分離される。感光体ドラム５１から分離された記録紙ｐは搬送機構５８を介して定着部５９に入り、トナー像が熱と圧力とにより定着される。このようにして、記録紙ｐに画像が形成される。
【００６２】
なお、必要に応じて、トナー像が定着された記録紙ｐは、ガイド６１を介して下方に搬送され、反転部６３に入る。そして、片面画像形成であれば、一方の面の画像形成が完了した記録紙ｐは排紙ローラ６５を介して排出される。
【００６３】
また、両面画像形成であれば、反転部６３に入っている記録紙ｐは、反転ローラにより再度繰り出され、反転搬送路６４を経由して再度画像書き込み部５０に送られる。前記原稿ｄの片面の画像形成が終了した画像書き込み部５０では、感光体ドラム５１に付着したトナーがクリーニング部５６で除去され、続く帯電部５２により帯電させられ、次の画像形成に備えている。
【００６４】
この状態で記録紙ｐのもう一方の面（未だ画像形成されていない面）が画像書き込み部５０に搬入され、画像が形成される。分離部５５ｂで感光体ドラム５１から分離された記録紙ｐは搬送機構５８を介して再度定着部５９に入って定着される。このようにして、裏面と表面との画像形成が完了した記録紙ｐ、または、一方の面の画像形成が完了した記録紙ｐは排紙ローラ６５を介して排出される。
【００６５】
〈画像形成装置の動作（第一の実施形態）〉
以下、第一の実施形態の画像形成装置の動作について、図３のフローチャートと図４の説明図とを参照して説明を行う。
【００６６】
まず、画像形成装置の制御部１０１は、操作入力１０２を介したオペレータからの意図的な倍率αの指定、あるいは、情報保持部１０４からの記録紙表裏収縮率の違いなどに起因する倍率αの指定を受け付ける（図３Ｓ１）。
【００６７】
ここで、制御部１０１は、実行しようとしている画像形成に対して設定された倍率αが１であるか、１以外であるかを判定する（図３Ｓ２）。ここで、α＝１であれば等倍であり、α＜１であれば縮小であり、α＞１であれば拡大を意味する。
【００６８】
αが１として設定されていれば（図３Ｓ２でＮ）、制御部１０１は通常状態の画像形成を実行するよう各部を制御する（図３Ｓ３）。
ここで、通常状態の画像形成とは、画像読み取り部１１０において通常の主走査速度および通常の副走査速度にて画像の読み取りを行って通常の画像データを生成し、画像形成部１３０において通常の主走査速度および通常の副走査速度にて画像の形成を行うことを意味している。
【００６９】
αが１以外に設定されていれば（図３Ｓ２でＹ）、制御部１０１は、読み取り時副走査速度と、画像形成時副走査速度とを、倍率αに応じて決定する（図３Ｓ４）。
この場合、制御部１０１は、読み取り時副走査速度を、倍率αに応じて、通常の読み取り時副走査速度の１／αに決定する。
【００７０】
また、制御部１０１は、画像形成時副走査速度を、倍率αに応じて、通常の画像形成時副走査速度のα倍に決定する。
そして、制御部１０１の制御に基づき、画像読み取り部１１０は、読み取り時副走査速度を通常の読み取り時副走査速度の１／αに制御しつつ、原稿の画像を読み取って画像データを生成する（図３Ｓ５）。
【００７１】
これにより、読み取りによって、原稿の主走査方向は所定の画素数であり、副走査方向は所定の画素数のα倍の画素数である画像データが生成される。
図４（ａ）は画像読み取り部１１０で読み取られる原稿の一例を示す説明図、図４（ｂ）は画像読み取り部１１０で通常の副走査速度で読み取られる様子を模式的に示した説明図、図４（ｃ）は画像読み取り部１１０で通常の１／αの副走査速度で読み取られる様子を模式的に示した説明図、図４（ｄ）は画像読み取り部１１０で通常の１／αの副走査速度で読み取られることで生成された副走査方向がα倍になった画像データの様子を模式的に示した説明図である。
【００７２】
そして、この後、制御部１０１の制御により、画像処理部１２０で所定の画像処理が施される。ここでは、画像メモリ上で、画像データを９０度回転させる画像処理が少なくとも実行される（図３Ｓ６）。
【００７３】
図４（ｅ）は画像処理部１２０で画像データを９０度回転させる画像処理が実行された様子を模式的に示している。なお、このような９０度の画像回転処理が施されることで、読み取り時と画像形成時とで、主走査方向と副走査方向とが入れ替わる。
【００７４】
すなわち、α倍の画素数となった原稿の副走査方向は、画像形成時の主走査方向として扱われる。また、通常の画素数である原稿の主走査方向は、画像形成時には副走査方向として扱われる。
【００７５】
そして、αが１以外に設定されている場合（図３Ｓ２でＹ）、制御部１０１は、画像形成の副走査方向（原稿の主走査方向）をα倍の画像形成速度によって画像形成を実行する（図３Ｓ７）。
【００７６】
このようなα倍の画像形成速度の画像形成により、画像形成の副走査方向（原稿の主走査方向）はα倍の大きさに引き伸ばされる。図４（ｆ）は画像形成の副走査方向（原稿の主走査方向）がα倍の大きさに引き伸ばされた様子を模式的に示している。
【００７７】
すなわち、原稿の主走査方向は画像形成の副走査方向としてα倍の画像形成速度によりα倍の大きさに引き伸ばされ、α倍の画素数となった主走査方向（原稿の副走査方向）と共に、主走査方向（原稿の副走査方向）・副走査方向（原稿の主走査方向）共にα倍の大きさの画像が記録紙上に形成される。
【００７８】
ここで、画像形成時の主走査方向は、画像読み取り時にα倍の画素数とされており、変倍の画像処理も画像形成主走査方向のピッチ変更も必要ないため、劣化なく変倍が可能になっている。
【００７９】
また、画像形成時の副走査方向（原稿の主走査方向）は、画像形成時にα倍の画像形成速度によりα倍の大きさに引き伸ばされるため、変倍の画像処理が必要ないため、劣化なく変倍が可能になっている。
【００８０】
なお、以上の図４ではα＞１である場合を具体例にしているが、これに限定されるものではない。すなわち、拡大（α＞１）であっても縮小（α＜１）であっても、変倍の画像処理や主走査方向読み取りピッチの変更や主走査方向画像形成ピッチの変更が必要なく、劣化なく変倍が可能になっている。
【００８１】
この結果、整数倍以外の変倍や解像度の変更が指定された場合であっても、細線が消えたり途切れたりすることはなく、また、斜めの線に不規則な階段状のギザギザが目立つようになったりすることもなく、画質の劣化を生じることがなくなる。
【００８２】
なお、この第一の実施形態での倍率の変更は、両面画像形成時の表裏の収縮の違いを解消するために整数倍以外の変倍が指定された場合であっても、細線が消えたり途切れたりすることはなく、また、斜めの線に不規則な階段状のギザギザが目立つようになったりすることもなく、画質の劣化を生じることがなくなり、有効である。
【００８３】
〈画像形成装置の動作（第二の実施形態）〉
以下、第二の実施形態の画像形成装置の動作について、図５のフローチャートと図６の説明図とを参照して説明を行う。
【００８４】
この第二の実施形態では、画像形成装置１００の画像書込部１３０が、解像度変更率βに応じて主走査方向の解像度を通常のβ倍に切り替える機能を有していることを前提とする。
【００８５】
まず、画像形成装置の制御部１０１は、操作入力１０２を介したオペレータからの意図的な解像度変更率βの指定、あるいは、情報保持部１０４からの画像形成モードに起因する解像度変更率βの指定を受け付ける（図５Ｓ１）。
【００８６】
ここで、制御部１０１は、実行しようとしている画像形成に対して設定された解像度変更率βが１であるか、１以外であるかを判定する（図５Ｓ２）。ここで、β＝１であれば解像度変更無しであり、β＜１であれば解像度ダウンであり、β＞１であれば解像度アップを意味する。
【００８７】
βが１として設定されていれば（図５Ｓ２でＮ）、制御部１０１は通常状態の画像形成を実行するよう各部を制御する（図５Ｓ３）。
ここで、通常状態の画像形成とは、画像読み取り部１１０において通常の主走査速度および通常の副走査速度にて画像の読み取りを行って通常の画像データを生成し、画像形成部１３０において通常の主走査方向解像度にて画像の形成を行うことを意味している。
【００８８】
βが１以外に設定されていれば（図５Ｓ２でＹ）、制御部１０１は、読み取り時副走査速度と、画像形成時主走査方向解像度とを、解像度変更率βに応じて決定する（図５Ｓ４）。
【００８９】
この場合、制御部１０１は、読み取り時副走査速度を、解像度変更率βに応じて、通常の読み取り時副走査速度の１／βに決定する。
また、制御部１０１は、画像形成時主走査方向解像度を、解像度変更率βに応じて、通常の画像形成時主走査方向解像度のβ倍に決定する。
【００９０】
そして、制御部１０１の制御に基づき、画像読み取り部１１０は、読み取り時副走査速度を通常の読み取り時副走査速度の１／βに制御しつつ、原稿の画像を読み取って画像データを生成する（図５Ｓ５）。
【００９１】
これにより、読み取りによって、原稿の主走査方向は所定の画素数であり、副走査方向は所定の画素数のβ倍の画素数である画像データが生成される。
図６（ａ）は画像読み取り部１１０で読み取られる原稿の一例を示す説明図、図６（ｂ）は画像読み取り部１１０で通常の副走査速度で読み取られる様子を模式的に示した説明図、図６（ｃ）は画像読み取り部１１０で通常の１／βの副走査速度で読み取られる様子を模式的に示した説明図、図６（ｄ）は画像読み取り部１１０で通常の１／βの副走査速度で読み取られることで生成された副走査方向がβ倍になった画像データの様子を模式的に示した説明図である。
【００９２】
そして、この後、制御部１０１の制御により、画像処理部１２０で所定の画像処理が施される。ここでは、画像メモリ上で、画像データを９０度回転させる画像処理が少なくとも実行される（図５Ｓ６）。
【００９３】
図６（ｅ）は画像処理部１２０で画像データを９０度回転させる画像処理が実行された様子を模式的に示している。なお、このような９０度の画像回転処理が施されることで、読み取り時と画像形成時とで、主走査方向と副走査方向とが入れ替わる。
【００９４】
すなわち、β倍の画素数となった原稿の副走査方向は、画像形成時の主走査方向として扱われる。また、通常の画素数である原稿の主走査方向は、画像形成時には副走査方向として扱われる。
【００９５】
そして、βが１以外に設定されている場合（図５Ｓ２でＹ）、制御部１０１は、画像形成時主走査方向解像度を通常のβ倍に設定した状態で画像書き込み部を制御し（図５Ｓ７）、画像形成を実行する（図５Ｓ８）。
【００９６】
このようなβ倍の画像形成時主走査方向解像度での画像形成により、画像形成の主走査方向（原稿の副走査方向）は、読み取りによってβ倍の大きさに引き伸ばされていたものが、通常よりもβ倍高精細な画像形成によって、画像形成時の主走査方向の大きさが通常時の大きさに戻る（図６（ｆ））。
【００９７】
すなわち、β倍の画素数となった主走査方向（原稿の副走査方向）はβ倍の画像形成時主走査方向解像度によって元の原稿の大きさに戻され、元の大きさの画像が記録紙上に形成される。
【００９８】
ここで、画像形成時の主走査方向は、解像度変更率βに従って、画像読み取り時にβ倍の画素数とされており、解像度変更のための電気的な画像処理（補間や間引き）の必要ないため、劣化なく解像度変更が可能になっている。
【００９９】
なお、以上の図６ではβ＞１である場合を具体例にしているが、これに限定されるものではない。すなわち、解像度アップ（β＞１）であっても解像度ダウン（β＜１）であっても、変倍の画像処理や主走査方向読み取りピッチの変更や主走査方向画像形成ピッチの変更が必要なく、劣化なく変倍が可能になっている。
【０１００】
この結果、整数倍以外の解像度の変更が指定された場合であっても、細線が消えたり途切れたりすることはなく、また、斜めの線に不規則な階段状のギザギザが目立つようになったりすることもなく、画質の劣化を生じることがなくなる。
【０１０１】
〈画像形成装置の動作（第三の実施形態）〉
以下、第三の実施形態の画像形成装置の動作について、図７のフローチャートを参照して説明を行う。
【０１０２】
この第三の実施形態では、画像形成装置１００の画像書込部１３０が、解像度変更率βに応じて主走査方向の解像度を通常のβ倍に切り替える機能を有していることを前提とする。
【０１０３】
まず、画像形成装置の制御部１０１は、操作入力１０２を介したオペレータからの意図的な倍率αの指定、あるいは、情報保持部１０４からの記録紙表裏収縮率の違いなどに起因する倍率αの指定を受け付ける（図７Ｓ１）。また、画像形成装置の制御部１０１は、操作入力１０２を介したオペレータからの意図的な解像度変更率βの指定、あるいは、情報保持部１０４からの画像形成モードに起因する解像度変更率βの指定を受け付ける（図７Ｓ１）。
【０１０４】
ここで、制御部１０１は、実行しようとしている画像形成に対して設定された倍率αが１以外であり、解像度変更率βが１以外であるか、を判定する（図７Ｓ２）。ここで、α＝１であれば等倍であり、α＜１であれば縮小であり、α＞１であれば拡大を意味する。ここで、β＝１であれば解像度変更無しであり、β＜１であれば解像度ダウンであり、β＞１であれば解像度アップを意味する。
【０１０５】
αが１以外かつβが１以外として設定されている場合以外であれば（図７Ｓ２でＮ）、制御部１０１は所定の画像形成を実行するよう各部を制御する（図７Ｓ３）。
ここで、αが１以外かつβが１として設定されている場合であれば、制御部１０１は前述した第一実施形態にて画像形成を実行するよう各部を制御する。また、αが１かつβが１以外として設定されている場合であれば、制御部１０１は前述した第二実施形態にて画像形成を実行するよう各部を制御する。αが１かつβが１として設定されている場合であれば、制御部１０１は拡大縮小もせず解像度変更も無い従来の一般的な画像形成を実行するよう各部を制御する。
【０１０６】
ここで、通常状態の画像形成とは、画像読み取り部１１０において通常の主走査速度および通常の副走査速度にて画像の読み取りを行って通常の画像データを生成し、画像形成部１３０において通常の主走査方向解像度にて画像の形成を行うことを意味している。
【０１０７】
αが１以外であり、βが１以外に設定されていれば（図７Ｓ２でＹ）、制御部１０１は、読み取り時副走査速度と、画像形成時副走査速度と、画像形成時主走査方向解像度とを、解像度変更率αとβとに応じて決定する（図７Ｓ４）。
【０１０８】
この場合、制御部１０１は、読み取り時副走査速度を、倍率αと解像度変更率βとに応じて、通常の読み取り時副走査速度の１／（αβ）に決定する。また、制御部１０１は、画像形成時副走査速度を、倍率αに応じて、通常の画像形成時副走査速度のα倍に決定する。さらに、制御部１０１は、画像形成時主走査方向解像度を、解像度変更率βに応じて、通常の画像形成時主走査方向解像度のβ倍に決定する。
【０１０９】
そして、制御部１０１の制御に基づき、画像読み取り部１１０は、読み取り時副走査速度を通常の読み取り時副走査速度の１／（αβ）に制御しつつ、原稿の画像を読み取って画像データを生成する（図７Ｓ５）。
【０１１０】
これにより、読み取りによって、原稿の主走査方向は所定の画素数であり、副走査方向は所定の画素数のβ倍の画素数である画像データが生成される。
そして、この後、制御部１０１の制御により、画像処理部１２０で所定の画像処理が施される。ここでは、画像メモリ上で、画像データを９０度回転させる画像処理が少なくとも実行される（図７Ｓ６）。
【０１１１】
なお、このような９０度の画像回転処理が施されることで、読み取り時と画像形成時とで、主走査方向と副走査方向とが入れ替わる。
すなわち、αβ倍の画素数となった原稿の副走査方向は、画像形成時の主走査方向として扱われる。また、通常の画素数である原稿の主走査方向は、画像形成時には副走査方向として扱われる。
【０１１２】
そして、αとβとが１以外に設定されている場合（図７Ｓ２でＹ）、制御部１０１は、画像形成の副走査方向（原稿の主走査方向）をα倍の画像形成速度にする共に、画像形成時主走査方向解像度を通常のβ倍に設定した状態で画像書き込み部を制御し（図７Ｓ７）、画像形成を実行する（図７Ｓ８）。
【０１１３】
このようなα倍の画像形成速度の画像形成により、画像形成の副走査方向（原稿の主走査方向）はα倍の大きさに引き伸ばされる。また、このようなβ倍の画像形成時主走査方向解像度での画像形成により、画像形成の主走査方向（原稿の副走査方向）は、読み取りによってβ倍の大きさに引き伸ばされていたものが、通常よりもβ倍高精細な画像形成によって、画像形成時の主走査方向の大きさがβに関しては通常時の大きさに戻りαに関する分のみ作用する。
【０１１４】
すなわち、原稿の主走査方向は画像形成の副走査方向としてα倍の画像形成速度によりα倍の大きさに引き伸ばされる。また、αβ倍の画素数となった主走査方向（原稿の副走査方向）は、βについては解像度変更に用いられ、α倍の大きさに引き伸ばされる。これにより、主走査方向（原稿の副走査方向）・副走査方向（原稿の主走査方向）共にα倍の大きさの画像が記録紙上に形成される。
【０１１５】
ここで、画像形成時の主走査方向は、画像読み取り時にαβ倍の画素数とされており、解像度変更のための電気的な画像処理（補間や間引き）の必要ないため、劣化なく解像度変更が可能になっている。また、画像形成時の副走査方向も、画像形成時にβ倍にされており、解像度変更のための電気的な画像処理（補間や間引き）の必要ないため、劣化なく解像度変更が可能になっている。
【０１１６】
なお、以上の図４ではα＞１、β＞１である場合を具体例にしているが、これに限定されるものではない。すなわち、拡大（α＞１）であっても縮小（α＜１）であっても、変倍の画像処理や主走査方向読み取りピッチの変更や主走査方向画像形成ピッチの変更が必要なく、劣化なく変倍が可能になっている。また、解像度アップ（β＞１）であっても解像度ダウン（β＜１）であっても、変倍の画像処理や主走査方向読み取りピッチの変更や主走査方向画像形成ピッチの変更が必要なく、劣化なく変倍が可能になっている。
【０１１７】
この結果、整数倍以外の変倍や解像度の変更が指定された場合であっても、細線が消えたり途切れたりすることはなく、また、斜めの線に不規則な階段状のギザギザが目立つようになったりすることもなく、画質の劣化を生じることがなくなる。また、この結果、整数倍以外の解像度の変更が指定された場合であっても、細線が消えたり途切れたりすることはなく、また、斜めの線に不規則な階段状のギザギザが目立つようになったりすることもなく、画質の劣化を生じることがなくなる。
【０１１８】
なお、この第三の実施形態での倍率の変更は、両面画像形成時の表裏の収縮の違いを解消するために整数倍以外の変倍が指定された場合であっても、細線が消えたり途切れたりすることはなく、また、斜めの線に不規則な階段状のギザギザが目立つようになったりすることもなく、画質の劣化を生じることがなくなり、有効である。
【０１１９】
〈その他の実施形態（１）〉
なお、以上の各実施形態では、読み取り速度を１／αにすることによって、読み取り間隔を１／αあるいは１／βまたは１／（αβ）にしていた。これ以外の手法であっても、読み取り間隔を変更して読み取られた画像データの画素数をα倍やβ倍にすることができればよい。
【０１２０】
〈その他の実施形態（２）〉
以上の画像形成装置１００は、複写機、ファクシミリ装置、オールインワンプリンタなどの各種の装置が該当する。また、画像形成部１３０は、図２に示した感光体ドラムを用いる電子写真方式のもののほか、ベルト方式の電子写真画像形成装置や、ＬＥＤプリントヘッドを用いて印画紙に画像を形成する装置や、インクジェット方式の画像形成装置であってもよい。
【図面の簡単な説明】
【０１２１】
【図１】本発明の実施形態の画像形成装置の電気的構成を示す回路構成図である。
【図２】本発明の実施形態の画像形成装置の機械的構成を示す構成図である。
【図３】本発明の第一実施形態の画像形成装置の動作を示すフローチャートである。
【図４】本発明の第一実施形態の画像形成装置の動作時の様子を示す説明図である。
【図５】本発明の第二実施形態の画像形成装置の動作を示すフローチャートである。
【図６】本発明の第二実施形態の画像形成装置の動作時の様子を示す説明図である。
【図７】本発明の第三実施形態の画像形成装置の動作を示すフローチャートである。
【符号の説明】
【０１２２】
１００  画像形成装置
１０１  制御部
１０２  操作入力部
１０３  表示部
１０４  情報保持部
１１０  画像読み取り部
１２０  画像処理部
１３０  プリントエンジン
【図１】
2007150980.tif 000003
【図２】
2007150980.tif 000004
【図３】
2007150980.tif 000005
【図４】
2007150980.tif 000006
【図５】
2007150980.tif 000007
【図６】
2007150980.tif 000008
【図７】
2007150980.tif 000009